(57)【要約】【課題】  髪をカールする為にロッドを巻き付ける作業において使用するリングコームの提供。【解決手段】  リングコームの柄１の先端を基点として目盛り６，６・・・を表示し、該目盛り６は先端を頭皮に当てて測定した髪の長さに応じて使用されるロッド径を表している。【選択図】    図１
2011015783.tif 000002
【特許請求の範囲】
【請求項１】
髪をカールする為にロッドを巻き付ける作業において使用するリングコームにおいて、該リングコームの柄の先端を基点として目盛りを表示し、該目盛りは先端を頭皮に当てて測定した髪の長さに応じて使用されるロッド径を表す為の目盛りであり、この目盛りは次の関係式を基にして計算して得られることを特徴とするパーマネントカール用リングコーム。
髪の長さ（ｍｍ）÷基本数値（円周率×回転数）＝ロットの径（ｍｍ）
ここで、基本数値とは次の表に表示している値である。
2011015783.tif 000005
【請求項２】
髪をカールする為にロッドを巻き付ける作業において、該ロッド巻きには柄の付いたリングコームが使用され、尖った柄の先端にて髪を振り分けて適当な本数の髪を束にしてリングコームに巻き付け、該リングコームの柄から基部にかけて柄の先端を基点として目盛りを表示し、この目盛りは次の関係式を満たすことが出来るように使用されるロッド径を表示し、柄の先端を頭皮に当てて髪の長さを測って髪先端が位置する目盛りを読み取ってロッドの径を選定し、このロッドに髪を巻き付けることを特徴とするロッド巻き方法。
髪の長さ（ｍｍ）÷基本数値（円周率×回転数）＝ロットの径（ｍｍ）
ここで、基本数値とは次の表に表示している値である。
2011015783.tif 000006
【発明の詳細な説明】
【技術分野】
【０００１】
本発明はパーマネントを掛けて髪をカールする為のロッドを巻き付ける方法であり、この際に使用するロッドの外径を選定するリングコームに関するものである。
【背景技術】
【０００２】
一般にパーマを掛ける場合、チオグリコール酸、チオグリコール酸塩などの還元剤を主剤とし、アンモニア、炭酸水素アンモニウムなどのアルカリ剤を加えて、ｐＨを９．６以下のアルカリ性に調整した第１剤を毛髪に塗布しながらロットを巻き、１０〜１５分放置後にテストカールで毛髪が適度に可塑性を示すに至ったことを確認して、中間水洗で第１剤を十分洗い流し、その後ロットに巻かれた毛髪に臭素酸塩や過酸化水素などの酸化剤を含有する第２剤を塗布し、１０〜１５分放置後にロットを外し、更に水洗する方法が行われている。
【０００３】
ところで、髪にパーマを掛けてカールを形成する場合には、所定の外径を有すロットに髪を巻き付けなくてはならない。このロットの外径は髪の位置によって色々であるが、多い人では全体で８０本程度使用される。カールの形態としては一般的にＣカール、Ｊカール、Ｓカール、ＳＳカールと称されるタイプが知られており、これらカールを形成する場合には髪の長さによって違ってくる。
【０００４】
熟練した美容師であれば長年の経験や勘によって、仕上がり状態を見込んだ適切なロッド径を選定することは可能であるかもしれない。しかし、髪が極端に短い場合や、又は逆に極端に長い場合には経験や勘に頼ることは難しい。ましてや、経験の浅い美容師でれば、その都度、使用するロッド径の指示を受けなくてはならないのが実状である。
【０００５】
そこで、近年では髪の長さとカールの基本数値とロットの径との間には次の関係式が使われている。
髪の長さ（ｍｍ）÷基本数値（円周率×回転数）＝ロットの径（ｍｍ）
ここで、上記基本数値はダメージ毛と健康毛によって多少異なるが、次の表に示すと通りである。
2011015783.tif 000003
【０００６】
そこで、例えばダメージ髪の長さが２００ｍｍの場合、この髪にＣカールを形成するならば、２００ｍｍ÷４＝５０ｍｍとなり、５０ｍｍ径のロットが使われる。ただし、健康毛であれば２００÷４．５≒４４ｍｍとなり、≒４４ｍｍ径のロットが使用される。この式を利用すれば、経験の浅い美容師であっても、髪の長さに影響されることなくロッド径を選定することが可能となる。
【０００７】
ところで、同じ人であっても頭部の場所によって髪の長さは異なり、この髪の長さをスケールによって測定し、この長さを上記式に当て嵌めてロッド径を割り出す作業を行う必要がある。ロッドを巻く時にはリングコームと称されるクシを使用し、複数本の髪を束に仕分けしたところで測った髪の長さに適した所定の径のロッドに巻き付けられるが、数十本のロッドを巻き付ける作業は面倒であり、非常に長時間を要す。
【０００８】
従来では、上記ロッドに髪を巻き付けてカールする以外の方法も知られている。例えば、特開平１０−２５７９１６に係る「パーマネントウェーブ形成器具」は、作業の煩雑さを解消し、熟練者でなくとも容易且つ迅速に毛髪のカール作業を行うことができるものである。
すなわち、毛髪を挟持する吸水性のシートと、毛髪を挟んだシートを巻き付けるロッドを備えてなるパーマネントウェーブ形成器具であり、前記シートの一端をロッドに固着すると共に、巻回したシートの巻戻り防止のための止め具をロッドと一体に設けている。
【０００９】
特開平９−２６２１１８号に係る「ロッド・カール機」は、パーマロッド、ラバーゴムを使用することなく、毛髪や髪の根元を傷めることなくカールができるようにしている。
そこで、毎秒一回転の本体のローラーを回転する。ローラーからドラムの歯車に連動しロッド棒が回転して毛束を巻きこみ、抜き取り、シングルピンでとめる。本体、ドラム、ロッド棒はプラスチック製で、歯車、ローラーは金属製としている。
【００１０】
このように、ロッドを使用しないで髪をカールすることは出来るが、髪全体を好ましい状態にカール仕上げることは出来ず、やはりロッドを使用したカール状態の方が美しく安定する。
【特許文献１】特開平１０−２５７９１６に係る「パーマネントウェーブ形成器具」
【特許文献２】特開平９−２６２１１８号に係る「ロッド・カール機」
【発明の開示】
【発明が解決しようとする課題】
【００１１】
このように、ロッドに髪を巻き付けてカールを形成する場合、髪の長さをその都度測定してロッド径を選定する作業は面倒である。本発明が解決しようとする課題はこの問題点であって、髪の長さを測るだけで使用するロッド径が分かり、短時間でロッドの巻き付けが出来るパーマネントカール用リングコーム、及び該リングコームを使用したロッドの巻き付け方法を提供する。
【課題を解決するための手段】
【００１２】
本発明ではロッド巻きに使用するリングコーム（クシ）は柄の先端から基部にかけて目盛りを形成している。このリングコームは柄を備えたクシであり、該柄の先端は細く成って尖っている。すなわち、１本のロッドに巻き付ける複数本の髪を束にする為に、先端が尖っている柄によって振り分けすることが出来る。勿論、リングコーム自体は従来から使用されて来ているクシであり、本発明はこのリングコームに柄の先端から目盛りを表示している。
【００１３】
そして、該リングコームはカールの形態、例えばＣカール、Ｊカール、Ｓカール、ＳＳカールごとに準備されており、夫々に表示している目盛りが異なる。客が要望するカール形態にしたがって、所定のリングコームを用いてロッド巻き作業を行うことが出来る。ところで、リングコームの柄の先端を基準として目盛りが形成され、この目盛りは使用されるロッド径を表し、前記の関係式である
髪の長さ（ｍｍ）÷基本数値（円周率×回転数）＝ロットの径（ｍｍ）
に基づいて表示されている。又、該基本数値も上記の通りである。
【発明の効果】
【００１４】
本発明に係るリングコームはその柄の先端からクシの基部にかけてロッド径を示す目盛りが表示されている。すなわち、カール形態ごとに目盛り表示されているリングコームが準備されている。又、極端に長い髪を対象として柄の長いリングコームを各カール形態ごとに準備することもある。美容師は客の要望によるカール形態に基づいて使用するリングコームを選択し、ロッド巻き作業を行うことが出来る。
【００１５】
そして、該リングコームを持ちながらロッド巻き作業を行い、作業中に柄の先端を頭皮に当てて髪の長さを測ることが出来、髪先端の目盛りが使用されるロッド径を表している。従って、頭部の位置によって異なる髪の長さに応じて、その都度ロッド径を素早く知ることが出来る。その結果、パーマを掛ける場合に数十本のロッドを使用するロッド巻き作業を効率よく行うことが可能となる。
【図面の簡単な説明】
【００１６】
【図１】本発明に係るリングコームを示す実施例。
【図２】髪のカール形態。
【図３】リングコームを使用して髪の長さを測定している場合。
【図４】本発明に係るリングコームを示す他の実施例。
【発明を実施するための形態】
【００１７】
図１は本発明に係るリングコーム（クシ）を示す実施例であり、平面図と正面図を表している。該リングコームは柄１を備え、クシ部２は基部３に複数本の歯４，４・・・が等間隔で設けられ、各歯４，４・・・の間には隙間５，５・・・を設けている。上記柄１は基部３から延びて先端部は細くなり、さらに先端は尖っている。
【００１８】
ここで、リングコームの材質は問わないが、一般には樹脂製と成っている。本発明では髪のカール形態に応じて各種のリングコームが準備され、尖っている柄１の先端から目盛り６、６・・・が表示されている。この目盛り６はロッド径を表し、髪の長さは柄１の先端から所定の目盛り６に達した径のロットを使用することが出来る。
【００１９】
図１に示すリングコームは髪のカール形態が「Ｃカール」を対象としたものであり、柄１の先端から所定の距離をおいて、数字で７，８，９，１０・・・の目盛り６ａ，６ｂ，６ｃ・・・が表示されている。この目盛りは、次の式を基にして算出された数値である。
髪の長さ（ｍｍ）÷基本数値（円周率×回転数）＝ロットの径（ｍｍ）
ここで、基本数値とは次の表に表示している値である。
2011015783.tif 000004
【００２０】
図２は髪のカール形態を示す具体例である。上からＣカール、Ｊカール、Ｓカール、ＳＳカールを示しているように、アルファベット文字の形に因んでこのように称している。図３はリングコームを使用して髪の長さを測定している場合を示している。柄１を下方に向けて先端を頭皮に当て、髪７を該リングコームに沿って延ばし、髪先端８が位置する目盛り６を読み取る。例えば髪先端８が目盛り６ａに達す長さであれば、ロッド径は７ｍｍのものが使用される。又、髪先端８が目盛り６ｂに達す長さと成っているならば、使用されるロッドの径は２０ｍｍとなる。さらに、髪先端８が目盛り６ｃに達す長さであれば、ロッド径は５０ｍｍとなる。
【００２１】
このように、本発明のリングコームには柄１の先端を基点として目盛り６，６・・・が表示されている為に、ロッド巻き作業をしながら髪の長さを簡単に知ることが出来る。勿論、電卓で計算する必要はなく、経験の浅い美容師であっても迷うことなくロッド径を選定することが可能である。該リングコームの尖っている柄１の先端にて髪を振り分け、所定の本数ごとにまとめてロット巻きされるが、該ロッド巻き作業が中断されることなく髪の長さを作業中に素早く知ることが出来る。
【００２２】
図４は本発明のリングコームを示す他の実施例であり、髪のカール形態がＪカールの場合を対象としている。リングコームとしての基本形態は同じであり、クシ部２は基部３に複数本の歯４，４・・・が等間隔で設けられ、各歯４，４・・・の間には隙間５，５・・・を設けている。そして柄１は基部３から延びて先端部は細くなり、先端は尖っている。
【００２３】
ここで、目盛り９，９・・・が柄１の先端を基点として表示されているが、該目盛りの間隔は上記図１に示しているリングコームとは違っている。すなわち、図４のリングコームは髪のカール形態がＪカールを対象としたものであり、図１に示すＣカールの場合とは異なる。
【００２４】
そこで、例えば髪先端８が目盛り９ａに達す長さであれば、ロッド径は５ｍｍのものが使用される。又、髪先端８が目盛り９ｂに達す長さと成っているならば、使用されるロッドの径は１０ｍｍとなる。さらに、髪先端８が目盛り９ｃに達す長さであれば、ロッド径は２６ｍｍとなる。勿論、この目盛り９ａ，９ｂ・・・は上記関係式を基にして計算された値である。
【００２５】
ここで、目盛りの表示方法は印刷してもよく、刻印することも出来る。そして、髪が極端に長い場合には普通サイズのリングコームで測定できない場合が発生する虞がある。このような時に備えて特別に長いリングコームを準備することが出来る。勿論、普通は一般的なサイズのリングコームが使用される。
【符号の説明】
【００２６】
１  柄
２  クシ部
３  基部
４  歯
５  隙間
６  目盛り
７  髪
８  髪先端
９  目盛り
【図１】
2011015783.tif 000007
【図２】
2011015783.tif 000008
【図３】
2011015783.tif 000009
【図４】
2011015783.tif 000010